(57)【要約】【課題】記憶装置自身が備える強力なパスワード機能を用いたセキュリティを実現でき、記憶装置単体でもアクセス禁止を設定可能な情報記憶装置および制御方法を提供する。【解決手段】表示用マイコン１６によって、１０キー１３からの入力情報とＨＤＤ１７に記憶されているパスワードとの照合が承認された場合は、設定されているパスワードを解除する。【選択図】      図２
2007299031.tif 000002
【特許請求の範囲】
【請求項１】
入力手段と、
前記入力手段からの入力信号を変換する変換手段と、
前記変換手段により変換された信号と、認証情報を記憶する記憶手段から読み出した認証情報との照合を行う照合手段と、
前記照合手段により照合が承認された場合は、設定されているパスワードを解除する解除手段と、
を具備することを特徴とする情報記憶装置。
【請求項２】
請求項１に記載の情報記憶装置において、
前記入力手段からの入力によって、当該情報記憶装置への入力を禁止する設定を行うことを特徴とする情報記憶装置。
【請求項３】
請求項１に記載の情報記憶装置において、
前記入力手段から入力された情報を表示する表示手段をさらに具備することを特徴とする情報記憶装置。
【請求項４】
請求項１記載の情報記憶装置において、
前記入力手段は、テンキー、外部メモリおよび指紋センサのうち、少なくとも１つ以上であることを特徴とする情報記憶装置。
【請求項５】
請求項４に記載の情報記憶装置において、
前外部メモリは、フラッシュカードメモリおよびＵＳＢメモリのうち、少なくとも１つ以上であることを特徴とする情報記憶装置。
【請求項６】
入力手段からの入力信号を変換する変換ステップと、
前記変換ステップにより変換された信号と、認証情報を記憶する記憶手段から読み出した認証情報との照合を行う照合ステップと、
前記照合ステップにより照合が承認された場合は、セキュリティ機能を解除する解除ステップと、
を有することを特徴とする制御方法。
【請求項７】
請求項６に記載の制御方法において、
前記入力ステップで入力された情報を表示する表示手段をさらに具備することを特徴とする制御方法。
【発明の詳細な説明】
【技術分野】
【０００１】
本発明は、コンピュータ等に接続する外部記憶装置に係り、特にセキュリティ機能を備えた情報記憶装置および制御方法に関する。
【背景技術】
【０００２】
パーソナルコンピュータ等に接続可能なセキュリティ機能を備えた外部記憶装置としては、例えば特開２００５−１２８７４１号公報に開示されているように、不揮発性半導体メモリおよび指紋センサを内蔵し、認証処理を行う技術が開示されている（特許文献１参照）。
【特許文献１】特開２００５−１２８７４１号公報
【発明の開示】
【発明が解決しようとする課題】
【０００３】
しかし、上述した技術では、記憶装置単体でのアクセス禁止設定を行うことができない。また、記憶装置自身が備える強力なパスワード機能を用いたセキュリティを実現できない。さらに、記憶装置が備えるキー入力によるセキュリティの解除機能を持たない。
【０００４】
本発明の目的は、記憶装置自身が備える強力なパスワード機能を用いたセキュリティを実現でき、記憶装置単体でもアクセス禁止を設定可能な情報記憶装置および制御方法を提供することである。
【課題を解決するための手段】
【０００５】
上記目的を達成するために、本発明の一態様によれば、入力手段と、前記入力手段からの入力信号を変換する変換手段と、前記変換手段により変換された信号と、認証情報を記憶する記憶手段から読み出した認証情報との照合を行う照合手段と、前記照合手段により照合が承認された場合は、設定されているパスワードを解除する解除手段と、を具備することを特徴とする情報記憶装置が提供される。
【発明の効果】
【０００６】
本発明を用いることにより、記憶装置自身が備える強力なパスワード機能を用いたセキュリティを実現でき、記憶装置単体でもアクセス禁止を設定可能となる。
【発明を実施するための最良の形態】
【０００７】
以下図面を参照して、本発明の実施形態について説明する。
【０００８】
図１には、本発明の一実施形態に係る情報記憶装置および、当該情報記憶装置が接続されたノートブック型コンピュータ１０の斜視図が示されている。この情報記憶装置は、ノートブック型コンピュータ１０等と接続し、ノートブック型コンピュータ１０から供給される電源で駆動可能な外付けハードディスク装置１１として実現されている。
【０００９】
図１に示すように、外付けハードディスク装置１１は、コンピュータ１０と例えばＵＳＢケーブル１４で接続されており、コンピュータ１０からＵＳＢケーブル１４によるバスパワーで駆動可能である。
【００１０】
また外付けハードディスク装置１１は、表示手段であるＬＣＤ１２および入力手段である１０キー１３を備えている。また、１０キー１３に変わり、例えば指紋センサ等でもよい。
【００１１】
図２は、外付けハードディスク装置の構成を示したブロック図である。
【００１２】
外付けハードディスク装置１１は、コンピュータ１０からＵＳＢケーブル１４を経由して授受するデータを変換するＵＳＢ−ＰＡＴＡ変換部（マイコン）１８、１０キー１３、パスワード等の認証情報等を記憶する不揮発性メモリ等であるＨＤＤ（記憶部）１７、ＨＤＤ１７に記憶されている認証情報と、ＵＳＢ−ＰＡＴＡ変換部１８によって１０キー１３等から入力された情報を所定の形式に変換された情報とを照合し、認証が承認されるかを判別し、表示部に情報を表示する表示用マイコン１６、１０キー１３からの入力された情報や認証の可否等を表示するＬＣＤ等である表示部１２とを備える。
【００１３】
次に本発明の一実施形態に係る情報記憶装置の制御方法について、図３のフローチャートを参照して説明する。
【００１４】
なお、本実施形態では、外付けハードディスク装置１１をコンピュータ１０に接続後に、外付けハードディスク装置１１のパスワードを解除する処理に付いて説明する。
【００１５】
外付けハードディスク装置１１の表示用マイコン１６は、ＵＳＢケーブル１４によってコンピュータ１０からバスパワー電源が供給されているか否かを判別し（ステップＳ１０１）、電源が供給されている（電源がＯＮである）と判別された場合は（ステップＳ１０１のＹＥＳ）、表示用マイコン１６によって、内部初期化を行う。表示用マイコン１６によって、内部初期化の処理が完了した場合（内部初期化ＯＫ）は（ステップＳ１０２のＹＥＳ）、１０キー１３から入力された情報をＵＳＢ−ＰＡＴＡ変換部１８が所定の情報に変換し、表示用マイコン１６に入力する。表示用マイコン１６は、入力された情報と、不揮発性メモリ等であるＨＤＤ１７に記憶されている例えばパスワード等の認証情報とを照合し、認証がＯＫか否かを判別する（ステップＳ１０３）。表示用マイコン１６は、照合した情報が一致すれば（承認されれば：ステップＳ１０３のＹＥＳ）、設定されているパスワードを解除し（ステップＳ１０４）、外付けハードディスク装置１１へのアクセスを許可する。
【００１６】
また、１０キー１３を用いたアクセス禁止設定が可能である。例えば、所定の番号を入力すると、アクセス禁止設定としたり、解除したりすることができる。
【００１７】
また、上述した実施形態では、入力手段として１０キー１３を用いた例を説明したが、指紋センサや、図４に示すように、フラッシュメモリカードである例えばＳＤカードをＳＤカードスロットに差し込んで認証情報を入力したり、図５に示すように、ＵＳＢメモリをＵＳＢスロットに差し込んで認証情報を入力する形態でもよい。これらの形態の場合のアクセス禁止設定は、例えば、所定の情報が書き込まれたフレッシュメモリやＵＳＢメモリを差し込んだときに、アクセス禁止設定や解除設定を行うようにすることで実現できる。
【００１８】
以上、本発明の実施形態によれば、記憶装置自身が備える強力なパスワード機能を用いたセキュリティを実現でき、記憶装置単体でもアクセス禁止を設定可能となる。
【００１９】
また、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２０】
【図１】本発明の一実施形態に係る情報記憶装置および、当該情報記憶装置が接続されたノートブック型コンピュータの斜視図。
【図２】本発明の一実施形態に係る情報記憶装置である外付けハードディスク装置の構成を示したブロック図。
【図３】本発明の一実施形態に係る情報記憶装置の制御方法について説明したフローチャート。
【図４】本発明の実施形態の変形例に係る情報記憶装置である外付けハードディスク装置の構成を示したブロック図。
【図５】本発明の実施形態の変形例に係る情報記憶装置である外付けハードディスク装置の構成を示したブロック図。
【符号の説明】
【００２１】
１０…コンピュータ、１１…外付けハードディスク装置、１２…ＬＣＤ、１３…１０キー、１４…ＵＳＢケーブル、１６…表示用マイコン、１７…ＨＤＤ（記憶部）、１８…ＵＳＢ−ＰＡＴＡ変換部、２０…ＳＤカードスロット、２１…ＵＳＢスロット。
【図１】
2007299031.tif 000003
【図２】
2007299031.tif 000004
【図３】
2007299031.tif 000005
【図４】
2007299031.tif 000006
【図５】
2007299031.tif 000007